(57)【特許請求の範囲】
【請求項１】
座板(13)の下に箱(12)が形成され、座板(13)を箱(12)の開放可能な蓋体とした幼児用椅子において、箱(12)の側壁に当該椅子と組にして用いる机(10)の脚の断面形状に遊隙を加えた形状の貫通孔(20)が設けられていることを特徴とする、幼児用椅子。
【請求項２】
座板(13)の下に箱(12)が形成され、座板(13)を箱(12)の開放可能な蓋体とした幼児用椅子(11,11a)と、その箱(12)に収容される複数個のブロック(1a)ないし(1f)との組からなり、ブロック(1a)ないし(1f)は、対向端に互いに平行な小口面(3)を有し、両小口面の略中央同軸上に面直角方向の嵌合孔(4)が設けられており、このブロック(1a)ないし(1f)は、小口面間寸法(S)の等しい３個または４個のブロックを１単位とする単位群の集合からなることを特徴とする、ブロックと組み合わされた幼児用椅子。
【請求項３】
箱(12)の側壁に前記ブロック(1a)ないし(1f)が通過可能な貫通孔(20)が設けられている、請求項２記載の幼児用椅子。
【請求項４】
箱(12)の底面隅部に箱(12)の側壁に設けた貫通孔(20)と等しいかまたはこれを包含する形状の接合面(18)を備えている、請求項１記載の幼児用椅子。
【請求項５】
箱(12)の底面隅部に前記ブロック(1a)ないし(1f)の小口面と等しいかまたはこれを包含する形状の接合面(18)を備え、この接合面の中央にはブロック(1a)ないし(1f)に設けた嵌合孔(4)と同径の嵌合孔(19)が設けられている、請求項２または３記載の幼児用椅子。
【発明の詳細な説明】
【０００１】
【産業上の利用分野】
この発明は幼児用の椅子に関するもので、ブロックおよびブロックを継ぎ足した脚を備えた幼児用机とともに用いる幼児用椅子に関するものである。
【０００２】
【従来の技術】
この発明の出願人は先の出願（特願平６−０８２３５３号）において、幼児用机や椅子の脚として用いることができるブロックおよびそのようなブロックを接続して形成した脚を備えた幼児用家具を提唱した。
【０００３】
上記発明は幼児に最初は積木として与えたブロックを、幼児が積木で遊ばなくなった後は、幼児用の机や椅子の脚として用い、さらに脚にブロックを継ぎ足すことによって幼児の成長に合わせて机や椅子の高さを変えることができるようにしたものである。
【０００４】
【発明が解決しようとする課題】
この発明は上述のようなブロックおよび机と組み合わせて用いる幼児用の椅子を提供することを課題としている。
【０００５】
【課題を解決するための手段】
座板１３の下に箱１２を形成し、座板１３を箱の開放可能な蓋体とした椅子の箱１２部分の側壁に丸、三角及び四角の形状の組から選択された一ないし複数形状の貫通孔２０を設け、該貫通孔は椅子１１，１１ａと組にして用いる机の脚の断面形状に遊隙を加えた形状とする。座板１３の下に箱１２を形成し、座板１３を箱１２の開放可能な蓋体とした椅子１１，１１ａと、その箱１２に収容される複数個のブロック１ａないし１ｆとの組において、ブロック１ａないし１ｆが、対向端に互いに平行な小口面３を有し、両小口面の略中央同軸上に面直角方向の嵌合孔４を設け、このブロック１ａないし１ｆは、小口面間寸法Ｓの等しい３個または４個のブロックを１単位とする単位群の集合にして、箱１２の側壁には前記ブロック１ａないし１ｆが通過可能な貫通孔２０を設ける。
【０００６】
箱１２の底面隅部には前記ブロック１ａないし１ｆの小口面と等しいかまたはこれを包含する形状の接合面１８を設け、この接合面の中央にはブロック１ａないし１ｆに設けた嵌合孔４と同径の嵌合孔１９を設ける。
【０００７】
【作用】
この発明の椅子１１，１１ａは幼児がブロック１ａないし１ｆを積木おもちゃとして使用しているときは、そのブロックの収納箱となり、また幼児が積木遊びをしなくなってブロック１ａないし１ｆを脚９として用いた机１０を組み立てた後は、当該机と組にして用いる椅子となる。幼児がブロック１ａないし１ｆを片づけるとき、椅子１１，１１ａの貫通孔２０を通してブロックを箱１２内に入れることにより、幼児の形状に対する認識力を発達させるとともに、整理整頓の習慣を身に付けさせることができる。またこのような収納箱を用意することにより、ブロックの紛失を防止できる。またブロックを机の脚とした後も、箱１２は他のおもちゃの収容箱として利用できる。
【０００８】
また箱１２の底面隅部に接合面１８を備えた構造のものは、この接合面１８にブロック１ａないし１ｆを接着することにより、幼児の成長に合わせて机とともに椅子１１，１１ａの高さも変えることができる。
【０００９】
【実施例】
図１は本発明の第１実施例を示す図である。本実施例の幼児用椅子１１はその脚部が蓋板を有しない箱１２で形成されている。この箱１２は底板１４と４つの側壁１５ａ、１５ｂ、１５ｃ、１５ｄをネジやはめこみで止める通常の方法で作られる。箱１２の後側壁１５ｄは他の３つの側壁１５ａ、１５ｂ、１５ｃよりも高く、背もたれとして使うような形状になっている。当該後側壁の高さ方向略中央には２つの蝶番１６によって座板１３が開閉自在に取り付けられ、この座板１３は倒したときに箱の後側壁１５ｄを除いた３つの側壁の上辺１７に当接して、箱１２の蓋板として機能する。座板１３の先端辺は、前側壁１５ａから若干突出しており、その上部は丸く加工されている。箱１２の前側壁１５ａおよび左右の側壁１５ｂ、１５ｃには丸、三角及び四角の形状の組からなる５つの貫通孔２０ａ、２０ｂ、２０ｃ、２０ｄ、２０ｅが設けられており、箱１２の底面２１の四隅には図２で示すように、短円柱状の接合台１８および嵌合孔１９が設けられている。
【００１０】
箱１２の中には、前記貫通孔２０と若干の遊隙を有する断面形状のブロック１ａないし１ｆが収納されている。ブロック１ａないし１ｆは、図４に示すように対向端に互いに平行な小口面３を有し、両小口面の略中央同軸上に面直角方向の嵌合孔４を有している。ブロック１ａないし１ｆは複数個の組からなり、この複数個は小口面間寸法Ｓの等しい３個または４個のブロックを１単位とする単位群の集合として構成される。図４には小口面間寸法Ｓの等しい丸、三角、四角の３個のブロックを１単位とし、各形状について高さ寸法が等しいブロック１ａ、１ｃ、１ｅと小口面間寸法が半分であるブロック１ｂ、１ｄ、１ｆの組により、複数個のブロックを形成した例が示されている。
【００１１】
幼児は、座板１３を開けてブロック１ａないし１ｆを取り出して積木おもちゃとして遊び、遊び終わったときに座板１３を倒した状態でブロック１ａないし１ｆを貫通孔２０を通して箱１２の中に入れる。三角、四角及び丸の形状のブロックはそれぞれ三角の貫通孔２０ｂ、２０ｄ、四角の貫通孔２０ａ、２０ｅ及び丸の貫通孔２０ｃからしか入れることができないので、幼児はブロックの形状と貫通孔の形状をしっかり認識しなければならなず、幼児の形状に対する認識力が自然に高まる。
【００１２】
幼児がブロック１ａないし１ｆで遊ばなくなったら、天板２と連結杆８とを用意する。天板は、その底面にブロック１ａないし１ｆの小口面形状を包含する形状の接合面６を備えた接合台５を有し、接合面６の中央にはブロックの嵌合孔４と同径の嵌合孔７が設けられている。ここで小口面を包含する接合面とは、接合面６にブロックの小口面３を接着したとき、ブロックが接合面６の外側に突出しない大きさの接合面という意味である。具体的には図５に示すように、天板の接合面の形状をブロックの形状と同形とするのがよい。また連結杆８は、図６に示すように、ブロックおよび接合台の嵌合孔４、７に隙間なく嵌合される棒材である。
【００１３】
ブロック１ａないし１ｆの嵌合孔４に連結杆８を差し込んで小口面３相互を接着し、その一端の小口面と天板の接合面６とを両者の嵌合孔４、７に連結杆８を嵌め込んで接合することにより、ブロック１ａないし１ｆをつなぎ合わせた脚９を有する机１０を組み立てる。机の高さは本発明の幼児用椅子に見合った高さとする。そして幼児が成長したら、机の脚９の下端に同一の小口面間寸法のブロックを継ぎ足して、幼児の成長に合わせて高くする。この際、幼児用椅子の底面の接合台１８にもブロック１ａないし１ｆを連結杆８で接合し、椅子の高さを机の高さに見合った高さに調節する。これにより、机１０及び椅子１１を常に幼児が正しい姿勢になるような高さにすることができる。
【００１４】
図３は本発明の第２実施例を示す斜視図である。本実施例の椅子は、第１実施例の椅子１１の横方向長さを短くしたものであり、その前側壁１５ａの嵌合孔の数を３つから１つに減らして、椅子の前後左右方向の長径と短径をほぼ同一にしたものである。嵌合孔が少なくなったことで選択肢が少なくなり、幼児は第１実施例の椅子１１より簡単にブロック１ａないし１ｆに対応する嵌合孔を見つけ出すことが出来る。また、スペースを取らないために椅子１１ａ自体が邪魔になることもないし、幼児一人に丁度あった大きさの椅子を作ることが出来る。なお、座板の底面四隅に係止片を突設し、この係止片を側壁１５ａ、１５ｂ、１５ｃ、１５ｄの内側に落とし込んで、座板を箱に装着することができる。
【００１５】
【発明の効果】
以上のように、本発明の椅子は、ブロックの収納箱として使用することができるほか、積木遊びをしたあとの後片づけの際に箱の貫通孔からブロックを入れさせることにより、幼児の形状に対する認識力を自然に高めることが出来る。また、幼児が成長して積木遊びをしなくなったら、ブロックを連結して机１０の脚として使用し、幼児の成長に合わせて机の高さを高くしたら、椅子の底板にブロックを接合して机の高さに見合う高さに座板の高さを調整することができるので、常に正しい姿勢で幼児を机に向かわせることができる。
【図面の簡単な説明】
【図１】本発明の第１実施例の斜視図
【図２】図１の椅子の底面からの模式図
【図３】本発明の第２実施例の斜視図
【図４】本発明に使うブロックの斜視図
【図５】本発明に使う机の天板の模式図
【図６】本発明に使う連結杆の模式図
【図７】本発明に使う机の模式図
【符号の説明】
1a〜1f  ブロック
３  小口面
４  嵌合孔
10  机
11  椅子
12  箱
13  座板
18  接合面
19  嵌合孔
20  貫通孔
Ｓ  小口面間寸法
【図１】
0003655331.tif 000002
【図２】
0003655331.tif 000003
【図３】
0003655331.tif 000004
【図４】
0003655331.tif 000005
【図５】
0003655331.tif 000006
【図６】
0003655331.tif 000007
【図７】
0003655331.tif 000008